(57)【要約】【課題】画像表示機能を内蔵し、建築物の壁又は室内のパーティション等に利用できる薄型の表示面付壁材、及びこれを用いた建築物を提供する。【解決手段】表示パネル３０を表示面付壁材１内に保持し、表示面付壁材１の壁面に形成された開口部１１から表示パネル３０の表示面３１を露出させて、表示パネル３０を表示面付壁材１内に埋め込む態様で一体的に組み込む。表示面付壁材１は、正面側壁板１０及び背面側壁板２０を固定部材４０にて所定の間隔を隔てて固定し、正面側壁板１０及び背面側壁板２０の間に表示パネル３０を保持する保持部材５０を固定することで構成する。表示パネル３０の表示に係る処理を行う回路が搭載された回路基板３５は、正面側壁板１０の壁面に沿う方向に関して、表示パネル３０と並べて配設する。【選択図】図３
2008208702.tif 000002
【特許請求の範囲】
【請求項１】
画像表示デバイスと、
該画像表示デバイスを制御する回路が搭載された回路基板と、
開口部が形成された壁板と
を備え、
前記画像表示デバイスは表示面が前記開口部から露出するように保持されていること
を特徴とする表示面付壁材。
【請求項２】
前記画像表示デバイスの表示面が前記開口部から露出するように、前記画像表示デバイス及び前記回路基板を保持する保持部材を更に備えること
を特徴とする請求項１に記載の表示面付壁材。
【請求項３】
背面側壁板と、
前記壁板及び前記背面側壁板を所定の間隙を隔てて固定する固定部材と
を更に備え、
前記保持部材は、前記壁板及び前記背面側壁板の間に配設してあること
を特徴とする請求項２に記載の表示面付壁材。
【請求項４】
前記保持部材は、前記画像表示デバイスを前記背面側壁板から所定の間隙を隔てて保持するようにしてあり、
前記壁板及び／又は前記背面側壁板には、前記間隙に通じる換気口が形成してあること
を特徴とする請求項３に記載の表示面付壁材。
【請求項５】
前記画像表示デバイス及び前記背面側壁板の間に設けられ、前記画像表示デバイスが発する熱を放散する放熱部材を更に備えること
を特徴とする請求項３又は請求項４に記載の表示面付壁材。
【請求項６】
前記放熱部材は、前記画像表示デバイスの表示面より大きい面を有する板状をなし、前記画像表示デバイスの前記表示面の反対面側に固定してあること
を特徴とする請求項５に記載の表示面付壁材。
【請求項７】
前記回路基板は、前記壁板の壁面に沿う方向に、前記画像表示デバイスと並べて配設してあること
を特徴とする請求項２から請求項６までのいずれか１つに記載の表示面付壁材。
【請求項８】
前記回路基板は、前記背面側壁板から所定の間隙を隔てて固定してあり、
前記回路基板及び前記背面側壁板の間に設けられ、前記回路基板が発する熱を放散する放熱部材を更に備えること
を特徴とする請求項７に記載の表示面付壁材。
【請求項９】
請求項１から請求項８までのいずれか１つに記載の表示面付壁材を用いて一又は複数の壁を構成してあること
を特徴とする建築物。
【発明の詳細な説明】
【技術分野】
【０００１】
本発明は、建築物の壁又は室内の仕切り（パーティション）等として利用することができる壁材に、画像表示の機能を内蔵した表示面付壁材、及びこれを用いた建築物に関する。
【背景技術】
【０００２】
従来、液晶パネルなどの画像表示デバイスを用いた薄型の表示装置が広く普及している。近年、これらの表示装置は表示面の大型化、筺体の薄型化及び低価格化が進み、一般家庭における大画面の表示装置を用いた映像の視聴を実現している。しかし、表示装置の薄型化が進んだとはいえ、表示装置を設置すると部屋の一部を占有するため、大型の表示装置はある程度の広い部屋に設置しなければならない。そこで、部屋の壁などに表示装置を設置することで前述の問題を解決することが検討されている。
【０００３】
例えば特許文献１においては、壁に凹部を形成して平板型画像形成装置（表示装置）を凹部内に収容することによって、設置空間の美観を損なわずに表示装置を容易に設置することができる表示装置の壁面設置のためのシステムが提案されている。このシステムにおいては、表示装置の背面又は側面に各種配線をまとめたコネクタ部を設け、壁の凹部内の対応する位置にコネクタ部を設けて、表示装置の凹部への取り付けと共に両コネクタ部を自動的に接続できる構成としてある。
【０００４】
図８は、特許文献１の壁面設置システムの概要を説明するための模式的断面図である。図において１０１は建築物又は住宅等の壁である。壁１０１の一の壁面には、表示装置１１０を収容する凹部１０２が形成してある。表示装置１１０は、扁平な直方体状をなす薄型の筺体を有し、筺体の正面に映像を表示する表示面（図示は省略する）が設けてあり、筺体の背面に各種配線をまとめたコネクタ部１１１が後方へ突出するように設けてある。壁１０１の凹部１０２は、表示装置１１０と略同じか又は若干大きい程度の大きさ及び形状であり、凹部１０２に収容された表示装置１１０の背面に対向する面には、表示装置１１０のコネクタ部１１１に接続されるコネクタ部１０３が設けてある。また、コネクタ部１０３にはケーブル１０４が接続してあり、ケーブル１０４は壁１０１の内部を通して図示しない電源又はアンテナ等に接続してある。
【０００５】
以上の構成の壁面設置システムでは、表示装置１１０を壁１０１の凹部１０２に収容することによって、表示装置１１０のコネクタ部１１１と凹部１０２内のコネクタ部１０３とが接続されるため、壁１０１への表示装置１１０の設置をユーザが容易に行うことができる。また、表示装置１１０が壁１０１の凹部１０２内に収容されるため、表示装置１１０が大型であっても部屋の一部を占有することがない。また、ケーブル１０４を壁１０１の内部を通して電源又はアンテナ等に接続することができるため、部屋内の美観を向上することができるという利点もある。
【特許文献１】特許３４２３５２９号公報
【発明の開示】
【発明が解決しようとする課題】
【０００６】
特許文献１に記載の壁面設置システムは、表示装置１１０を壁１０１の凹部１０２に着脱することを前提とし、コネクタ部１１１及び１０３により表示装置１１０の着脱を容易化することを主たる目的としたものである。表示装置１１０は、壁１０１の凹部１０２内に設置するか否かに関係なく使用することが可能であり、筺体内に表示パネル及び回路基板等が収められた構成である。このため、壁１０１の凹部１０２は表示装置１１０の筺体を収容することができるように大きく形成しなければならない。また、図８に示すように表示装置１１０の背面に設けられたコネクタ部１１１に接続可能な位置にコネクタ部１０３を設けた場合、壁１０１の内部には凹部１０２の背面側にケーブル１０４を通すスペースが必要である。よって、表示装置１１０の厚さ（即ち、凹部１０２の深さ）と、ケーブル１０４を通すスペースの大きさとにより壁１０１の最小の厚さが決定されるため、ある程度の厚さを有する壁１０１でなければ特許文献１に記載の壁面設置システムを適用することができないという問題がある。
【０００７】
また、表示装置１１０は動作に伴って熱を発するが、壁１０１の凹部１０２に表示装置１１０を収容した場合には、表示装置１１０が発した熱を放散することができないという問題がある。このため、表示装置１１０及びその周辺が高温となり、表示装置１１０の故障又は寿命の劣化等が生じる虞があり、壁１０１の変形又は劣化等が生じる虞がある。凹部１０２を表示装置１１０より大きく形成し、表示装置１１０と壁１０１との間に隙間を設けることで表示装置１１０が発する熱を若干放散することができるが、壁１０１の厚さを更に増す必要があると共に、部屋（壁１０１）の美観が損なわれる虞がある。
【０００８】
本発明は、斯かる事情に鑑みてなされたものであって、その目的とするところは、建築物の壁又は室内のパーティション等に利用でき、表示面を備えて画像表示の機能を内蔵する場合であっても薄型化することが可能な表示面付壁材を提供することにある。また、本発明の他の目的とするところは、画像表示に係る機器から発せられる熱を確実に放散することができる表示面付壁材、及びこれを用いた建築物を提供することにある。
【課題を解決するための手段】
【０００９】
本発明に係る表示面付壁材は、画像表示デバイスと、該画像表示デバイスを制御する回路が搭載された回路基板と、開口部が形成された壁板とを備え、前記画像表示デバイスは表示面が前記開口部から露出するように保持されていることを特徴とする。
【００１０】
また、本発明に係る表示面付壁材は、前記画像表示デバイスの表示面が前記開口部から露出するように、前記画像表示デバイス及び前記回路基板を保持する保持部材を更に備えることを特徴とする。
【００１１】
また、本発明に係る表示面付壁材は、背面側壁板と、前記壁板及び前記背面側壁板を所定の間隙を隔てて固定する固定部材とを更に備え、前記保持部材は、前記壁板及び前記背面側壁板の間に配設してあることを特徴とする。
【００１２】
また、本発明に係る表示面付壁材は、前記保持部材が、前記画像表示デバイスを前記背面側壁板から所定の間隙を隔てて保持するようにしてあり、前記壁板及び／又は前記背面側壁板には、前記間隙に通じる換気口が形成してあることを特徴とする。
【００１３】
また、本発明に係る表示面付壁材は、前記画像表示デバイス及び前記背面側壁板の間に設けられ、前記画像表示デバイスが発する熱を放散する放熱部材を更に備えることを特徴とする。
【００１４】
また、本発明に係る表示面付壁材は、前記放熱部材が、前記画像表示デバイスの表示面より大きい面を有する板状をなし、前記画像表示デバイスの前記表示面の反対面側に固定してあることを特徴とする。
【００１５】
また、本発明に係る表示面付壁材は、前記回路基板が、前記壁板の壁面に沿う方向に、前記画像表示デバイスと並べて配設してあることを特徴とする。
【００１６】
また、本発明に係る表示面付壁材は、前記回路基板が、前記背面側壁板から所定の間隙を隔てて固定してあり、前記回路基板及び前記背面側壁板の間に設けられ、前記回路基板が発する熱を放散する放熱部材を更に備えることを特徴とする。
【００１７】
また、本発明に係る建築物は、上記のいずれか１つの表示面付壁材を用いて一又は複数の壁を構成してあることを特徴とする。
【００１８】
本発明においては、表示装置を壁に形成した凹部に収容するのではなく、表示装置に搭載される液晶パネル又は有機ＥＬ（Electro-Luminescence）パネル等の画像表示デバイスを壁板に対して不動に保持させ、壁板に形成した開口部から画像表示デバイスの表示面を露出させる構成とする。画像表示デバイスは壁板に直接的に固定して保持させる構成としてもよく、別の部材に保持させる構成としてもよい。これにより、画像表示デバイスを埋め込む態様で、表示装置を壁材に一体的に組み込むことができる。表示装置の筺体は必要なく（換言すれば、壁板を筺体として利用することができ）、壁材内に表示装置を構成する画像表示デバイス、回路基板及びケーブル等を自由に配設することが可能となるため、壁材の薄型化を容易に実現できる。
【００１９】
また、本発明においては、表示面付壁材が、画像表示デバイスとこれを制御する回路が搭載された回路基板とを保持する保持部材を備える。また、保持部材は表示面が壁材の開口から露出するように画像表示デバイスを保持する。これにより、大型の画像表示デバイスを保持部材によって安定して保持することが可能となる。
【００２０】
また、本発明においては、表示面が設けられた壁板（以下、正面側壁板という）及びこれの反対面をなす背面側壁板を所定の間隙を隔てて固定し、正面側壁板及び背面側壁板の間に画像表示デバイスを不動に保持する保持部材を配設することによって壁材を構成する。表示面付壁材の壁面をなす正面側壁板及び背面側壁板は、デザイン性及び軽量化等の観点から木材又は合成樹脂材等で製作される場合も多く、画像表示デバイス及び回路基板等を保持する強度を確保できない虞がある。そこで、正面側壁板及び背面側壁板の間に保持部材を設け、保持部材の強度を画像表示デバイス及び回路基板等の保持に十分な強度とすることによって、正面側壁板及び背面側壁板の強度に関わらず表示パネルを確実に保持することができる。
【００２１】
また、本発明においては、画像表示デバイスを背面側壁板から所定の間隙を隔てて保持すると共に、この間隙に通じる換気口を正面側壁板及び／又は背面側壁板に形成する。これにより、表示面付壁材内の画像表示デバイス周辺の空気を換気口から外気と交換することができ、画像表示デバイスが発する熱を外部に放散することができる。
【００２２】
また、本発明においては、画像表示デバイスが発する熱を放散する放熱部材を、画像表示デバイス及び背面側壁板の間に設ける。これにより、画像表示デバイスの熱を放熱部材を介して効率よく放散することができる。
【００２３】
また、本発明においては、壁板の壁面は画像表示デバイスの表示面より大きく、表示面付壁材内には画像表示デバイスより大きいスペースがあるため、画像表示デバイスが発する熱を放散する放熱部材を画像表示デバイスの表示面より大きい面を有する板状とすることができる。表示面より大きい板状の放熱部材を画像表示デバイスの表示面の反対面（背面）側に固定することによって、表示面付壁材の厚さを増すことなく、放熱効果をより高めることができる。
【００２４】
また、本発明においては、表示面付壁材内には画像表示デバイスより大きいスペースがあるため、画像表示デバイスの制御回路が搭載された回路基板を、正面側壁板の壁面に沿う方向に画像表示デバイスと並べて配設する。これにより、画像表示デバイスの背面側に回路基板を配設する構成と比較して、正面側壁板及び背面側壁板の間隔を狭めることができるため、表示面付壁材の薄型化が実現できる。
【００２５】
また、本発明においては、回路基板を背面側壁板から所定の間隙を隔てて固定すると共に、回路基板が発する熱を放散する放熱部材を回路基板及び背面側壁板の間に設ける。これにより、回路基板が発する熱を放熱部材を介して効率よく放散することができる。
【発明の効果】
【００２６】
本発明による場合は、画像表示デバイスの表示面を壁板の開口部から露出させるように、画像表示デバイス及び回路基板を保持する構成とすることにより、表示装置を一体的に埋め込んだ表示面付壁材を実現することができ、画像表示デバイス、回路基板及びケーブル等の表示機能に必要な機器を壁材内に適宜に配設して薄型の表示面付壁材を実現することができる。よって、建築物において壁の厚みを十分に確保できない場合、又は室内のパーティションなどで薄型の壁材が求められる場合等であっても、本発明の表示面付壁材を用いることができる。また、この表示面付壁材を用いて壁を構成した建築物においては、壁に表示面が設けられるのみの構成であるため、部屋の美観を損なうことなく、部屋内のスペースを一部占有することなく、映像を視聴する装置を部屋内に設置することができる。
【００２７】
また、本発明による場合は、画像表示デバイス及び背面側壁板の間に設けた隙間、この隙間に通じる換気口、並びに画像表示デバイスの背面側に設けた放熱部材等により、画像表示デバイス及び回路基板等の表示面付壁材内の機器が発する熱を効率よく確実に放散することができる。よって、画像表示デバイス及び回路基板等の熱による誤動作及び故障等が発生することを防止でき、また表示面付壁材の熱による変形及び劣化等が発生することを防止できるため、表示面付壁材の高寿命化及び高信頼性化を実現することができる。
【発明を実施するための最良の形態】
【００２８】
以下、本発明をその実施の形態を示す図面に基づき具体的に説明する。図１は、本発明に係る表示面付壁材の構成を示す正面斜視図である。図２は、本発明に係る表示面付壁材の構成を示す分解斜視図である。図３は、本発明に係る表示面付壁材の構成を示す側断面図である。図４は、本発明に係る表示面付壁材の構成を示す背面図である。図において１は表示面付壁材であり、例えば住宅などの建築物の建築に用いられ、工場などで製造された表示面付壁材とその他の壁材とを組み合わせることで建築物の壁を構成することができる。また例えば、表示面付壁材１は、部屋を仕切るためのパーティションとして用いることができる可搬型の壁材であってもよい。
【００２９】
表示面付壁材１は、扁平な略立方体形をなし、一の壁面に画像を表示するための表示面３１が設けられた構成である。なお、以下の説明においては、表示面付壁材１の表示面３１が設けられた側を正面側といい、その反対側を背面側という。表示面付壁材１は、正面側壁板１０及び背面側壁板２０の２枚の壁板と、この２枚の壁板を略平行に所定の間隙を隔てて固定するための２つの固定部材４０と、表示パネル３０を保持する保持部材５０とを備えている。正面側壁板１０及び背面側壁板２０は、例えば木材、石膏、合成樹脂又は金属等の素材で製造されるものであり、表示面付壁材の設置環境などに応じて適宜に素材を選択することができる。また、固定部材４０及び保持部材５０は、木材又は金属等の素材で製造されるものであり、特に高強度の素材で製造されることが望ましい。
【００３０】
正面側壁板１０は、略矩形の板体であり、適宜の位置に略矩形の開口部１１が形成されている。開口部１１は、表示面付壁材１内に設けられた表示パネル３０の表示面３１を外部に露出させるためのものであり、ガラス又は透明な合成樹脂板等がはめ込まれていてもよく、これにより正面側壁板１０に表示パネル３０による表示面が設けられている。また、正面側壁板１０には、開口部１１の下側（表示面付壁材１を設置した場合の上下方向に関する下側、又は表示面３１に表示される画像の上下方向に関する下側）に、換気口１２が形成されている。換気口１２は表示面付壁材１の内外を連通させており、換気口１２により表示面付壁材１の内部の空気と外部の空気とを交換することができるようにしてある。表示面付壁材１の壁面の美観を保つために、換気口１２には例えば網目状などの通気性を有する蓋１３が取り付けてある。また、背面側壁板２０は、正面側壁板１０と略同じ大きさをなす略矩形の板体である。
【００３１】
固定部材４０は、略立方体形の柱状をなしており、その長さは正面側壁板１０及び背面側壁板２０の上下方向の長さに略等しくしてある。また２つの固定部材４０は、略同じ形状であり、略矩形の板体である保持部材５０によって略平行に連結されている。固定部材４０と保持部材５０との連結は、例えば両部材が金属製の場合には溶接又はねじ止め等の方法で行うことができ、両部材が木製の場合には接着、釘止め又はねじ止め等の方法で行うことができる。また、固定部材４０及び保持部材５０は不可分に固定する必要はなく、例えば２つの固定部材４０に溝を形成して保持部材５０を嵌合させるのみの連結であってもよい。
【００３２】
正面側壁板１０及び背面側壁板２０は、保持部材５０により連結された２つの固定部材４０の正面及び背面にそれぞれ固定される。正面側壁板１０及び背面側壁板２０と固定部材４０との固定は、接着、溶接、釘止め又はねじ止め等の方法で行うことができる。また、正面側壁板１０及び背面側壁板２０の一方又は両方を固定部材４０に着脱可能に固定する構成であってもよい。正面側壁板１０及び背面側壁板２０を固定部材４０に固定することによって、正面側壁板１０及び背面側壁板２０が固定部材４０の厚さに等しい間隙を隔てて略平行に固定され、表示面付壁材１が構成される。
【００３３】
画像表示デバイスである表示パネル３０は、略立方体形をなしており、一面が表示面３１である。なお、表示パネル３０は、液晶技術を用いた場合には液晶パネル及びバックライトを金属製又は合成樹脂性等のケースに収容して１つのユニット（部品）としたものであり、また、有機ＥＬ技術を用いた場合には有機ＥＬパネルであり、更には、その他の表示技術によるものであってもよい。ただし、本実施の形態においては、表示パネル３０は液晶パネル及びバックライトを金属製のケースに収容したパネルユニットとする。
【００３４】
保持部材５０は、略矩形の板体であり、正面側壁板１０の開口部１１に対応する位置（即ち、保持部材５０にて連結された固定部材４０に正面側壁板１０が固定された場合の開口部１１に対向する位置）に表示パネル３０を保持する保持部５１が設けてある。保持部５１は、表示パネル３０が収めるための略矩形をなす開口部５２と、開口部５２の上下の２辺にそれぞれ設けられた保持板部５３とを有している。保持部５１の開口部５２は、その内周の形状及び大きさが表示パネル３０の外周の形状及び大きさに略等しくしてある。よって、表示パネル３０を開口部５２に収めた場合、表示パネル３０（のケース）の４つの側面（表示面３１に垂直な４つの面）に開口部５２の内周面が当接する。
【００３５】
また、保持部５１の保持板部５３は、開口部５２の上下の内面の面積を広げる態様で、保持部材５０の正面側及び背面側にそれぞれ突出して設けられた板状の部分である。保持板部５３により、開口部５２に収められた表示パネル３０と保持部材５０との当接面積が増し、保持部材５０による表示パネル３０の保持力を増すことができる。保持板部５３の正面側への突出量は、固定部材４０に正面側壁板１０が固定された場合に、突出端が正面側壁板１０の背面に当接する程度にしてある。保持板部５３の正面側の端部から背面側の端部までの幅は、表示パネル３０の奥行きに略等しくしてある。
【００３６】
保持板部５３には貫通孔（図示は省略する）が複数形成してあり、また、表示パネル３０のケースにはねじ穴（図示は省略する）が複数形成してあり、開口部５２に表示パネル３０を収めた後、保持板部５３の貫通孔を通してねじ３３（図３参照）を表示パネル３０のねじ穴に螺合させることにより、表示パネル３０を不動に固定することができるようにしてある。
【００３７】
なお、正面側壁板１０の開口部１１の大きさは表示パネル３０の表示面３１の大きさより若干小さく、ねじ３３により表示パネル３０を保持板部５３に固定した場合には、表示面３１の縁部分が正面側壁板１０の開口部１１の背面側の縁部分に当接する。なお、正面側壁板１０の開口部１１に透明なガラス又は合成樹脂板等がはめ込まれている場合には、開口部１１の大きさが表示面３１より大きく、表示面３１がガラス又は合成樹脂板等に当接する構成であってもよい。又は、正面側壁板１０の開口部１１に透明なガラス又は合成樹脂板等がはめ込まれていない場合に、正面側壁板１０の開口部１１の大きさを保持部材５０の開口部５２の大きさに略等しくし、表示パネル３０の正面側端部を開口部１１にはめ込む構成であってもよい。ただしこの場合には、表示パネル３０が正面側壁板１０の開口部１１から更に正面方向へ突出しないことが望ましい。
【００３８】
また、保持部材５０の背面には、保持部５１の下側（保持部材５０に保持された表示パネル３０の側面側）に、表示パネル３０の表示に係る回路が搭載された回路基板３５が配設してある。即ち、保持部材５０の背面には、正面側壁板１０の壁面に沿う方向（上下左右方向）に関して、表示パネル３０と並べて回路基板３５が配設してある。回路基板３５は、保持部材５０にねじ止めなどにより固定され、フレキシブルケーブルなどのケーブル３６（図３参照）を介して表示パネル３０に接続されている。また、回路基板３５は、ケーブル３７を介して電源又はアンテナ等に接続されている。
【００３９】
また、回路基板３５には、保持部材５０に固定された場合の背面側に、放熱板３８が取り付けられている。放熱板３８は、回路基板３５より大きな略矩形の板体であり、金属などの熱伝導効率が高い素材で製造されている。放熱板３８は回路基板３５より大きいため、回路基板３５の四方に延び出すようにして、放熱板３８が回路基板３５に取り付けられる。放熱板３８は、ねじ止め又は接着等により回路基板３５に取り付けられる。
【００４０】
同様に、表示パネル３０の背面（表示面３１の反対面）には、放熱板３９が取り付けられている。放熱板３９は、表示パネル３０の背面より大きな略矩形の板体であり、金属などの熱伝導効率が高い素材で製造されている。放熱板３９は表示パネル３０の背面より大きいため、表示パネル３０の背面から四方に延び出すようにして、放熱板３９が表示パネル３０の背面に取り付けられる。放熱板３９は、ねじ止め又は接着等により表示パネル３０の背面に取り付けられる。
【００４１】
保持部材５０に保持された表示パネル３０の背面に放熱板３９を取り付け、保持部材５０に固定された回路基板３５に放熱板３８を取り付けた場合において、放熱板３８及び３９が背面側壁板２０に接触しないように、放熱板３８及び３９と背面側壁板２０との間には所定の間隙が設けてある。なお、放熱板３８及び３９は、回路基板３５及び表示パネル３０の放熱を効率よく行うために取り付けられるものであるが、必ずしも必要ではないため、表示面付壁材が放熱板３８及び３９を備えない構成であってもよい。
【００４２】
また、保持部材５０には、正面側壁板１０の換気口１２に対応する位置に、換気口５４が形成してある。保持部材５０の換気口５４と正面側壁板２０の換気口１２とは略同じ形状である。保持部材５０の正面側には、換気口５４を囲むように筒状のダクト部５５が突設してある。ダクト部５５は、正面側壁板１０が固定部材４０に固定された場合に、突出端が正面側壁板１０の背面に当接するようにしてある。
【００４３】
ダクト部５５により、正面側壁板１０の換気口１２から保持部材５０の換気口５４までの空気の流路が形成され、正面側壁板１０の正面側から保持部材５０及び背面側壁板２０の間の隙間まで空気を流入させることができる。換気口１２、ダクト部５５及び換気口５４を通して保持部材５０及び背面側壁板２０の間の隙間へ流入した空気は、背面側壁板２０に沿って上昇し、表示パネル３０及び放熱板３９、並びに回路基板３５及び放熱板３９等の周囲を流れて表示面付壁材１の上部の開放部分から放出される（即ち、開放部分を換気口としてある）。なお、図３及び図４には、空気の流れを一点鎖線の矢印で図示してある。この空気の流れにより、表示パネル３０の動作に伴って表示パネル３０及び回路基板３５から発せられた熱により温められた表示面付壁材１内の空気が外部の空気と交換されると共に、放熱板３８及び３９が冷却される。
【００４４】
なお、上述の空気の流れは表示パネル３０及び回路基板３５の熱によって温められた空気の対流により自然に発生する流れであるが、表示面付壁材１内にファンなどを設けて吸気又は排気を強制的に行う構成とすることもでき、この場合には冷却効果をより高めることができる。また、表示面付壁材１を建築物の壁の一部として設置する場合には、表示面付壁材１の上部の開放部分を部屋の換気扇などのための空気流通路に通じさせることにより、排気を効率よく行うことができる。
【００４５】
以上の構成の表示面付壁材においては、表示パネル３０を表示面付壁材１内に保持し、表示パネル３０及び回路基板３５を保持部材５０が正面側壁板１０に不動に保持する構成とすることにより、表示パネル３０を表示面付壁材１内に埋め込む態様で一体的に組み込むことができる。表示装置として表示パネル３０及び回路基板３５等を収容する筺体は必要なく、換言すれば正面側壁板１０及び背面側壁板２０等を表示装置の筺体として利用することができるため、表示面付壁材１内に表示パネル３０、回路基板３５及びケーブル３７等の表示機能に必要な機器を自由に配設することができる。よって、表示面付壁材１の薄型化を容易に実現することができるため、建築物において壁の厚みを十分に確保できない場合、又は室内のパーティションなどで薄型の壁材が求められる場合等であっても、表示機能を有する壁材、即ち本発明の表示面付壁材１を用いることができる。また、表示面付壁材１の壁面に形成された開口部１１から表示面３１が露出するのみの構成であるため、部屋の美観を損なうことなく、部屋内のスペースを一部占有することがない。
【００４６】
また、正面側壁板１０及び背面側壁板２０を固定部材４０にて所定の間隔を隔てて固定し、正面側壁板１０及び背面側壁板２０の間に表示パネル３０を保持する保持部材５０を固定することで表示面付壁材１を構成することにより、正面側壁板１０及び背面側壁板２０をデザイン性などを優先して強度の低い素材で製造した場合であっても、保持部材５０を強度の高い素材で製造し、表示パネル３０を確実に保持させることができる。
【００４７】
また、表示パネル３０及び背面側壁板２０の間に間隙を設け、正面側壁板１０の換気口１２並びに保持部材５０のダクト部５５及び換気口５４を通して外部の空気を表示パネル３０及び背面側壁板２０の間の間隙に流入させる構成とすることにより、表示面付壁材１内の表示パネル３０及び回路基板３５等の周辺の空気を外気と交換することができるため、表示パネル３０及び回路基板３５等が発する熱を外部に放散することができる。また、表示パネル３０に放熱板３９を取り付け、回路基板３５に放熱板３８を取り付けることによって、熱の拡散を効率よく行うことができる。更に、表示面付壁材１内には表示パネル３０より広いスペースが確保できるため、放熱板３９を表示パネル３０の背面より大きいサイズとすることができ、これにより表示面付壁材１の厚さを増すことなく放熱効果をより高めることができる。
【００４８】
また、表示パネル３０の表示に係る処理を行う回路が搭載された回路基板３５を、表示パネル３０の背面に設けるのではなく、正面側壁板１０の壁面に沿う方向に関して表示パネル３０と並べて配設する構成とすることにより、表示面付壁材１をより薄型化することができる。
【００４９】
図５は、本発明に係る表示面付壁材１を用いた建築物２００の一例を示す模式図である。建築物２００は、図１〜図４に示した表示面付壁材１による壁、窓２０２などが設けられたその他の壁２０１（１つのみ図示する）、床２０３及び天井（図示は省略する）等により囲まれて構成された部屋を有している。表示面付壁材１を用いることにより建築物２００の部屋は、一の壁に表示面３１が設けられるのみの構成であるため、部屋の美観を損なうことがない。また、部屋内のスペースの一部を占有することなく、ユーザが映像を視聴するための装置を部屋内に設置することができる。なお、図５においては本発明に係る表示面付壁材１を建築物２００の壁として用いる例を示したが、表示面付壁材１の利用はこの例に限らず、例えば、部屋内を仕切る可搬型のパーティションなどに表示面付壁材１を利用することもできる。
【００５０】
なお、本実施の形態においては、保持部材５０が表示パネル３０を保持する構成としたが、これに限るものではなく、正面側壁板１０又は背面側壁板２０に表示パネル３０を直接的にねじ止めなどの方法で固定し、正面側壁板１０又は背面側壁板２０が表示パネル３０を保持する構成としてもよい。また、図１〜図４に示した表示面付壁材１の形状及び構成は一例であってこれに限るものではなく、以下の変形例に示すようにその他の形状及び構成であってもよい。また、図５に示した建築物２００の構成は一例であってこれに限るものではない。図６は、本発明の変形例に係る表示面付壁材１の構成を示す側断面図であり、表示面付壁材の換気に関する変形例を図示してある。図１〜図４に示した表示面付壁材１は、表示面付壁材１の下部に設けた換気口１２、ダクト部５５及び換気口５４から流入した空気を表示面付壁材１の上部の開放部分から放出する構成である。これに対して、表示面付壁材１の上部に換気口１２、ダクト部５５及び換気口５４を更に設ける構成としてもよく（図６（ａ）参照）、この構成の場合には、表示面付壁材１の下部の換気口１２、ダクト部５５及び換気口５４から流入した空気を、表示面付壁材１の上部の換気口１２、ダクト部５５及び換気口５４から放出することができる。また、表示面付壁材１の正面側で換気を行うのではなく、背面側壁板２０の上部及び下部に換気口２１をそれぞれ形成し（図６（ｂ）参照）、表示面付壁材１の背面側で換気を行う構成としてもよい。更には、正面側壁板１０及び背面側壁板２０には換気口を形成せず、表示面付壁材１の下部の開放部分から空気を流入させて、表示面付壁材１の上部の開放部分から空気を放出する構成（即ち、表示面付壁材１の上下の開放部分を換気口とする構成）としてもよい（図示は省略する）。
【００５１】
図７は、本発明の変形例に係る表示面付壁材１の構成を示す側断面図であり、表示面付壁材１の回路基板３５の配置に係る変形例を図示してある。図１〜図４に示した表示面付壁材は、正面側壁板１０の壁面に沿う方向に関して回路基板３５を表示パネル３０と並べて配設する構成であるが、これに限るものではなく、例えば回路基板３５を表示パネル３０の背面に固定する構成としてもよい（図７（ａ）参照）。これにより、表示面付壁材１の厚さが増す可能性はあるが、表示パネル３０の側面側のスペースを利用して他の機器、例えば別の表示パネル３０を表示面付壁材１内に更に保持することができる（図７（ｂ）参照）。
【図面の簡単な説明】
【００５２】
【図１】本発明に係る表示面付壁材の構成を示す正面斜視図である。
【図２】本発明に係る表示面付壁材の構成を示す分解斜視図である。
【図３】本発明に係る表示面付壁材の構成を示す側断面図である。
【図４】本発明に係る表示面付壁材の構成を示す背面図である。
【図５】本発明に係る表示面付壁材を用いた建築物の一例を示す模式図である。
【図６】本発明の変形例に係る表示面付壁材の構成を示す側断面図である。
【図７】本発明の変形例に係る表示面付壁材の構成を示す側断面図である。
【図８】特許文献１の壁面設置システムの概要を説明するための模式的断面図である。
【符号の説明】
【００５３】
１  表示面付壁材
１０  正面側壁板（壁板）
１１  開口部
１２  換気口
２０  背面側壁板
３０  表示パネル（画像表示デバイス）
３１  表示面
３５  回路基板
３８、３９  放熱板（放熱部材）
４０  固定部材
５０  保持部材
５１  保持部
５２  開口部
５３  保持板部
５４  換気口
５５  ダクト部
２００  建築物
【図１】
2008208702.tif 000003
【図２】
2008208702.tif 000004
【図３】
2008208702.tif 000005
【図４】
2008208702.tif 000006
【図５】
2008208702.tif 000007
【図６】
2008208702.tif 000008
【図７】
2008208702.tif 000009
【図８】
2008208702.tif 000010